(57)【要約】【課題】  獣類近接ゾーン側から侵入禁止ゾーン側へ侵入しようとする獣類を、的部材に誘導して接触させ電気的ショックを与えて撃退させる獣害防止用電気柵を提供する。【解決手段】複数本の支柱２を所定間隔を介して立設し、該支柱２間に電線３ａ，３ｂを配線し、該電線３ａ，３ｂに所定電圧の通電を行う電気柵１であって、上記電気柵１に近接する獣類の接触を誘導する導電性材料よりなる的部材５を設け、該的部材５を上記電線３ａ，３ｂと接続した構成とする。【選択図】  図１
2006271238.tif 000002
【特許請求の範囲】
【請求項１】
複数本の支柱（２）を所定間隔を介して立設し、該支柱（２）間に電線（３ａ），（３ｂ）を配線し、該電線（３ａ），（３ｂ）に所定電圧の通電を行う電気柵（１）において、上記電気柵（１）に近接する獣類の接触を誘導する導電性材料よりなる的部材（５）を設け、該的部材（５）を上記電線（３ａ），（３ｂ）と接続した獣害防止用電気柵。
【請求項２】
支柱（２）の配線部に的部材（５）を電線（３ａ），（３ｂ）と接続して取付けた請求項１の獣害防止用電気柵。
【請求項３】
非接地側の電線（３ａ），（３ｂ）を上下複数本並列させて配線し、両電線（３ａ），（３ｂ）間に所定の左右巾を有する棒状，板状，シート状，メッシュ状，格子状等に形成された的部材（５）を接続して配線した請求項１又は２の獣害防止用電気柵。
【請求項４】
支柱（２）の獣類接近側に所定寸法突出する張出し部（９）を設け、該張出し部（９）の先端側に配線基材（１０）を取付け、該配線基材（１０）に電線（３ａ），（３ｂ）を取付けて配線した請求項１又は２又は３の獣害防止用電気柵。
【請求項５】
配線基材（１０）の下端部と電気柵設置地面との間に、所定高さ（Ｈ）を有する除草作業用の空間を設けてなる請求項４の獣害防止用電気柵。
【請求項６】
配線基材（１０）と電線（３ａ），（３ｂ）を通電可能に接続し、配線基材（１０）自体が的部材（５）である請求項４又は５の獣害防止用電気柵。
【発明の詳細な説明】
【技術分野】
【０００１】
本発明は、地面に立設した支柱に配線される電線に衝撃電圧を送り獣類を撃退する獣害防止用電気柵に関する。
【背景技術】
【０００２】
従来、地面に所定間隔毎に立設される支柱に配線される電線に、電圧発生器から発生させた衝撃電圧（高電圧）を送り、獣類近接ゾーン側から接近して電線に接触する獣類を感電によって撃退し、侵入禁止ゾーン側への侵入を防止する電気柵は既に公知である（例えば特許文献１）。
【０００３】
また上記電気柵において雑草が電線に接触すると漏電し衝撃電圧が弱くなるので、刈り払い機を用いた除草作業が必要とされる。この際の草刈り作業は刈刃を支柱に衝突させたり支柱周りに刈り残しを生じ易く作業が煩雑で熟練を要するので、支柱の根元に防草具を設置して支柱周りの草刈り作業を省略することが知られている（例えば特許文献２）。
【特許文献１】特開２００２−２７２３５５
【特許文献２】特開２００４−２４２６１５
【発明の開示】
【発明が解決しようとする課題】
【０００４】
上記特許文献１で示される電気柵は、獣類近接ゾーン側から接近する獣類を電線に接触させて衝撃電圧によって撃退させるものであるが、猪について実証試験をし観察したところ、猪が最初に触れる電気柵の箇所は、支柱間に張設される電線より先に、支柱に対し鼻や口を接触させていた。また猪は習性により地面に立設される支柱に対し警戒感に似た関心を示し鼻で接触しながら、そのまま支柱を押し倒して侵入禁止ゾーン側へ侵入する例が多いことが判明した。従って、支柱に碍子等の絶縁構造によって電線を取付支持し配線した電気柵は、猪のような獣類の侵入を確実に防止することが困難な問題が認められた。
【０００５】
また支柱に電線を直接的に取付けて配線される電気柵は、刈り払い機による支柱の根元直近の除草が困難であり、刈り残された雑草はやがて電線に接触するため漏電が避けられない欠点もある。この防止のために用いられる防草具は、多数の支柱に対してそれぞれ装着しなければならないので、設備及び装着コスト等が増大する等の問題がある。
【課題を解決するための手段】
【０００６】
上記課題を解決するための獣害防止用電気柵は、第１に、複数本の支柱２を所定間隔を介して立設し、該支柱２間に電線３ａ，３ｂを配線し、該電線３ａ，３ｂに所定電圧の通電を行う電気柵１において、上記電気柵１に近接する獣類の接触を誘導する導電性材料よりなる的部材５を設け、該的部材５を上記電線３ａ，３ｂと接続したことを特徴としている。
【０００７】
第２に、支柱２の配線部に的部材５を電線３ａ，３ｂと接続して取付けたことを特徴としている。
【０００８】
第３に、非接地側の電線３ａ，３ｂを上下複数本並列させて配線し、両電線３ａ，３ｂ間に所定の左右巾を有する棒状，板状，シート状，メッシュ状，格子状等に形成された的部材５を接続して配線したことを特徴としている。
【０００９】
第４に、支柱２の獣類接近側に所定寸法突出する張出し部９を設け、該張出し部９の先端側に配線基材１０を取付け、該配線基材１０に電線３ａ，３ｂを取付けて配線したことを特徴としている。
【００１０】
第５に、配線基材１０の下端部と電気柵設置地面との間に、所定高さＨを有する除草作業用の空間を設けたことを特徴としている。
【００１１】
第６に、配線基材１０と電線３ａ，３ｂを通電可能に接続し、配線基材１０自体が的部材５であることを特徴としている。
【発明の効果】
【００１２】
上記のように構成される本発明によれば、電気柵設置地面に所定間隔を介して立設される複数本の支柱間に配線される電線に、獣類の接触を誘導する導電性材料よりなる的部材を設けた電気柵にしたことにより、獣類近接ゾーン側から侵入禁止ゾーン側へ侵入しようとする獣類を的部材に誘導して接触させ易くすることができ、猪等の獣類に対し電気的ショックを確実に与えることができる。
【００１３】
支柱の配線部に的部材を電線に接続して取付けることにより、的部材を支柱に沿った上下方向に支持することができ、獣類を的部材に誘導し接触させて速やかに退散させ、また支柱の押し倒しも防止することができる。
【００１４】
上下に配線される電線に対し所定の左右巾を有する的部材を設けることにより、的部材を結線部材と兼用して電線に安定よく取付支持することができる。また的部材によって電線の上下の配線間隔を保持することができる。
【００１５】
支柱の獣類接近側に突設した張出し部の先端側に配線基材を設け、該配線基材に電線を取付けることにより、支柱を獣類近接ゾーン側の電線から侵入禁止ゾーン側に離間させて立設することができ、支柱と獣類との接触を防止することができる。
【００１６】
配線基材の下端部と電気柵設置地面との間に、所定高さを有する除草作業用の空間を設けることにより、支柱に邪魔されることなく電線直下に生える雑草を刈り取り易くすることができる。また支柱の根元側に刈り残された雑草による電線の漏電を防止することができる。
【００１７】
配線基材と電線を通電可能に接続し配線基材自体を的部材にすることにより、配線基材を的部材に兼用構成することができ、電気柵の構成及び設置を簡単にすることができる。
【発明を実施するための最良の形態】
【００１８】
以下図示する本発明の実施形態について説明する。図１は本発明によって電気柵設置箇所の地形に応じて施工された獣害防止用の電気柵１を示し、図２は電気柵１の平面視構造を示す。この電気柵１は所定間隔を介して地面に立設される複数本の支柱２と、該支柱２間に取付けて配線される上下の電線３ａ，３ｂと、電気柵１に接近する獣類の接触を誘導する的部材５等から構成される。そして、電気柵１の近傍に設置される図示しない電圧発生器によって発生させるパルス状の高電圧を、獣類に対する衝撃電圧として電線３ａ，３ｂ及び的部材５に送る構成となっている。
【００１９】
これにより、獣類近接ゾーン６側（獣類近接側）から電気柵１を越えようとして、電線３ａ，３ｂ或いは的部材５に接触する獣類に対し衝撃電圧（電気的ショック）を与え、獣類を撃退させ侵入禁止ゾーン７側への侵入を防止する。
尚、電線は従来のものと同様に絶縁被覆を施さない裸電線とし、侵入防止を図る獣類の背丈や大きさに適応するように電線数が選択され、複数の電線３ａ，３ｂ・・は上下の配線間隔を有して並列状に配線され、且つ後述する的部材５或いは配線基材１０によって通電可能に結線される。
【００２０】
次に電気柵１の各部の構成について説明する。図１〜図３で示すように支柱２は、柱部の中途部又は上部の所定位置に、絶縁部材からなる張出し部（張出しアーム）９が、獣類近接ゾーン６側に向けて張出し巾Ｌを有して突設される。そして、張出し部９の先端部には、上下方向の配線間隔を有して電線３ａ，３ｂを支持する杆状の配線基材１０が、柱部と略平行状となるように上下方向に設けられる。配線基材１０は線止め具１０ａによって電線３ａ，３ｂを所定の位置に取付支持している。
【００２１】
上記配線基材１０は、張出し部９の先端部に設けた上下方向の取付筒１１にスライド自在に挿入して、取付筒１１に設けた固定ビス１２で締着する取付け手段とすることが望ましい。この場合には、電線３ａ，３ｂの地面からの配線高さ調節を簡単にすることができ、また長い獣害防止用の配線基材の交換セットも行うことができる。
尚、支柱２は下部に鍔状の差込規制部２ａが設けられ、打ち込み等の手段によって地面に差し込む深さを規制することができ、該差込規制部２ａの底面に突起や凹凸を設けて支柱２の回転を防止する機構にすることもできる。
【００２２】
図１で示される配線基材１０は中間部を取付筒１１に嵌挿支持されており、図３（Ａ）の配線基材１０は下部が取付筒１１に支持され、図３（Ｂ）の配線基材１０は上部が取付筒１１に支持されている。
そして、上記張出し部９で支持される各配線基材１０は、図１で示されるように張出し巾Ｌ及び地面上に空間高さＨを隔てて設けられるので、支柱２から獣類近接ゾーン６側で配線基材１０の下方に広い空間を形成することができる。
【００２３】
この空間は地面に生える雑草を刈り取る刈取りスペース６ａになり、配線基材１０の下方及び支柱２の回りに繁茂する雑草等を刈り払い機で刈り取るとき、刈刃を支柱２に接触させる憂いをなくし、電線３ａ，３ｂの直下に生える雑草を綺麗に刈り取ることができる。また空間部を介して獣類近接ゾーン６側に電線３ａ，３ｂが配線されているので、支柱２の根元周りに刈り残された雑草が伸びたとしても、電線３ａ，３ｂとの接触が防止され雑草による漏電の心配も解消することができる。また支柱２は電線３ａ，３ｂより張出し部９を隔てて侵入禁止ゾーン７側に位置しているので、猪等の獣類が支柱２を直接的に押し倒すこともない。
【００２４】
次に的部材５について説明する。的部材５は導電性材料によって所定の左右巾を有して形成され、上下に並列配線した非接地側の電線３ａと電線３ｂの間に設けられる。そして、的部材５は電線３ａ，３ｂとを上下方向に通電可能に接続する結線部材を兼ねて、電気柵１に接近する獣類の接触を誘導する的を構成している。この的部材５は左右巾及び長さを棒状，板状，シート状，メッシュ状，格子状等で任意形状によって形成される。そして、支柱２と支柱２の間における電線３ａ，３ｂの中途部や、支柱２或いは配線基材１０の配線部における電線３ａ，３ｂに取付けることができる。
【００２５】
図４（Ａ）で示す的部材５はメッシュ部材で形成しており、その上下端に設けた取付部５ａ，５ａを各電線３ａ，３ｂに取付けた例である。この場合にはメッシュの通気により風の影響を低減するので広巾な的部材５にすることができる。図４（Ｂ）で示す的部材５は板部材で形成しており、その上下端を各電線３ａ，３ｂに取付けた例である。この場合には獣類が関心を示す任意な形状を簡単に製作することができる。尚、取付部５ａ，５ａは的部材５の上下端を折り曲げることにより、電線３ａ，３ｂを巻き込んで挟持することができ、電線３ａ，３ｂに対する的部材５の取付けを簡単にすることができる。
【００２６】
次に図５で示す的部材５の取付構造について説明する。この場合の支柱２は電線３ａ，３ｂを従来のものと同様に碍子を用いた絶縁構造からなる止め具１５，１５を介して配線支持しており、この配線部に対し的部材５を取付ける例を示している。即ち、この場合の的部材５は、導電性材料の板状片の上下端に二股状の取付片１６，１６からなる取付部としている。
【００２７】
この各取付片１６，１６は上記止め具１５の両側において、電線３ａ，３ｂに係止した状態で折り曲げることによって、電線３ａ，３ｂを挟持し的部材５を取付支持することができる。
尚、上記的部材５は支柱２の配線部に電線３ａ，３ｂと接続して設けたが、前記配線基材１０の配線部に対しても電線３ａ，３ｂと接続させて設けることができる。
【００２８】
さらに、配線基材１０は取付支持する電線３ａ，３ｂを通電可能に接続することにより、配線基材１０自体を的部材５として兼用可能に構成することができる。この場合には前記実施形態のものに比較し構造を簡単にすることができる。また配線基材１０の形状を広巾部材にしたり、柱状の配線基材１０に対し任意な形状の平板部材を部分的に設けることもできる。
【００２９】
以上のように構成される電気柵１は、電気柵設置地面に所定間隔を介して立設される複数本の支柱２，２・・間に配線される電線３ａ，３ｂに導電性材料よりなる的部材５を設けているので、侵入禁止ゾーン７側へ侵入しようとする獣類を誘導し的部材５及び電線３ａ，３ｂに接触させ易くすることができ、猪等の獣類に対し確実に電気的ショックを与えて退散させることができる。
【００３０】
この電気柵１を主として猪撃退用として用いる例について説明する。この場合の電気柵１の各寸法は従来のものと同様に、地面に立設する支柱間隔を約２００ｃｍとし、配線される電線３ａと電線３ｂの上下間隔は４５ｃｍ〜５０ｃｍ程度で、且つ下段の電線３ｂの高さは約２５ｃｍにしている。また支柱２と支柱２の間で電線３ａ，３ｂは適数の的部材５によって接続され、電線３ａ，３ｂを配線する配線基材１０は支柱２から張出し巾Ｌと空間高さＨを有して支持される。
【００３１】
この電気柵１によれば獣類近接ゾーン６側から接近する猪が、配線間隔（支柱間隔）の中途部において上下方向に長く広巾な的部材５に関心を示して誘導され、鼻或いは口を確実に接触させる。これにより露出した肌を的部材５に直接的に接触させた猪には、パルス状の衝撃電圧が電線３ａ，３ｂから的部材５を介して体内を通って足から地面に流れ、且つ地面からアース部を介して電圧発生器のマイナス側に流れる。
【００３２】
従って、猪は体毛を介しないで肌から直接的に衝撃電圧を受けるので、体内に強い電撃を受けて電気柵１から即座に退散することになる。また猪が的部材５に対し鼻や体を強く接当させるような場合に、的部材５は電線３ａ，３ｂの撓みにより揺れて退避するので、配線基材１０や支柱２に大きな負荷を掛けないで変形や破損を防止することができる。
【００３３】
また支柱２から獣類近接ゾーン６側に張出して設けらる張出し部９又は配線基材１０は、支柱２より弱い剛性にすることが望ましく、猪が電線３ａ，３ｂ或いは配線基材１０に強く接当した場合に、支柱２の変形や傾倒を防止することができる。また変形した張出し部９や配線基材１０は、曲げ伸ばし等の修復が簡単でメンテナンス作業も容易に行うことができる。
【００３４】
また電気柵１は配線基材１０の下端部と電気柵設置地面との間に、所定高さＨを有する除草作業用の空間を形成するので、刈り払い機等を用いた雑草の刈り取りを支柱２に邪魔されることなく能率よく簡単に行うことができる。また支柱２周りに刈り残した雑草と電線３ａ，３ｂの接触をなくし、接触による漏電を防止することができる。
【図面の簡単な説明】
【００３５】
【図１】本発明に係わる電気柵の構成を示す部分斜視図である。
【図２】図１の平面図である。
【図３】（Ａ）は別実施形態に係わる支柱の構成を示す側面図である。（Ｂ）はさらに別の実施形態に係わる支柱の構成を示す側面図である。
【図４】（Ａ）はメッシュ状の板で形成した的部材の構成を示す正面図である。（Ｂ）は金属板で形成した的部材の構成を示す側面図である。
【図５】的部材の別の取付構造を示す分解斜視図である。
【符号の説明】
【００３６】
１    電気柵
２    支柱
３ａ，３ｂ  電線
５    的部材
６    獣類近接ゾーン
７    侵入禁止ゾーン
９    張出し部
１０  配線基材
【図１】
2006271238.tif 000003
【図２】
2006271238.tif 000004
【図３】
2006271238.tif 000005
【図４】
2006271238.tif 000006
【図５】
2006271238.tif 000007